【事件の表示】
　特願２００８−２０９４３６「情報提供システム」拒絶査定不服審判事件〔平成２２年　２月２５日出願公開、特開２０１０−　４４６７０〕について、次のとおり審決する。
【結　論】
　本件審判の請求は、成り立たない。
【理　由】
第１　手続の経緯
　本願は、平成２０年８月１８日の出願であって、平成２４年１月１９日付けの拒絶理由通知に対し、同年３月１６日に意見書及び手続補正の提出がなされたが、平成２４年８月２７日付けで拒絶査定がなされ、これに対し、同年１１月９日に拒絶査定不服審判の請求がなされると同時に手続補正がなされたものである。
　
　
第２　本願発明
　本願の請求項１に記載された発明（以下、「本願発明」という。）は、平成２４年１１月９日に提出された手続補正書の特許請求の範囲の請求項１に記載された、次のとおりのものである。
　
「第１の通信カバーエリア内に配置され、第１の情報を送信する第１の情報提供装置と、
　第２の通信カバーエリア内に配置され、第２の情報を送信する第２の情報提供装置と、
　第１及び第２の通信カバーエリア内を移動可能であり、第１及び第２の情報提供装置から送信された第１及び第２の情報を受信して記憶・表示する情報受信端末を有し、
　情報受信端末が第１の通信カバーエリア内に存在するときには、情報受信端末は第１の情報を受信して記憶・表示しておき、情報受信端末が第１の通信カバーエリアから第２の通信カバーエリアに移動した場合には、情報受信端末は第２の情報を受信して記憶・表示し、
　前記第１及び第２の情報提供装置はそれぞれ店舗に配置されており、前記第１及び第２の情報は、上記店舗でそれぞれ作成された店舗情報であり、
　前記第１及び第２の情報提供装置は、前記作成された店舗情報が保存されたときに、前記第１及び第２の情報をそれぞれ送信し、
　前記情報受信端末は、前記第１及び第２の情報を記憶する記憶部と、この記憶した第１及び第２の情報を表示する表示部と、全体を制御する制御部とを有し、
　前記制御部は、前記情報受信端末が前記第１の通信カバーエリアから前記第２の通信カバーエリアに移動したと判断した場合に、前記表示部に表示されていた第１の情報を第２の情報に切り替えて表示し、
　前記第１の情報から前記第２の情報への切り替えは、前記第２の通信カバーエリア内で受信した第２の情報が前記記憶部に記憶された時点で行われることを特徴とする情報提供システム。」
　
　
第３　引用発明
　原査定の拒絶の理由で引用された特開２００２−３５８２５６号公報（平成１４年１２月１３日出願公開。以下、「引用例」という。）には、以下の記載がある。
　
「【請求項１】　携帯型の情報処理装置において、
所定のエリアにおいて、近距離無線通信により前記エリアの地域情報データを受信する受信手段と、
前記受信手段により受信された前記地域情報データの中から、ユーザの操作に基づいて、特定の前記地域情報データを選択する選択手段と、
前記選択手段により選択された前記地域情報データを表示する表示制御手段とを備えることを特徴とする情報処理装置。」
　
「【請求項１２】　各エリア毎に、情報提供装置を配置し、前記エリア内に位置する携帯型の情報処理装置と近距離無線通信させる情報提供システムにおいて、
前記携帯型の情報処理装置は、
前記エリアに位置するとき、前記近距離無線通信により前記エリアの地域情報データを受信し、
受信された前記地域情報データの中から、ユーザの操作に基づいて、特定の前記地域情報データを選択し、
選択された前記地域情報データを表示し、
前記情報提供装置は、
管轄する前記エリアの前記地域情報データの中から、特定の前記地域情報データを選択し、
選択された前記地域情報データを近距離無線通信により、前記携帯型の情報処理装置に対して発信することを特徴とする情報提供システム。」
　
「【０００２】
【従来の技術】最近、インターネットが普及し、ＰＤＡ（Personal Digital Assistant）、携帯電話機、または携帯用ＰＣ(Personal Computer)などの携帯可能な端末により、ユーザは外出先で、公衆回線などを用いて、インターネット上のｗｅｂを利用した広告情報を見ることができる。この広告情報は、特定のｗｅｂページに結びついているため、上記端末を持ったユーザは、どこにいても同じ広告情報を得ることができる。
【０００３】
【発明が解決しようとする課題】しかしながら、例えば、大阪にいるユーザが、上記端末にて同じｗｅｂページを見ると、東京の広告情報を表示してしまう場合があるように、殆ど必要のない広告情報が各ユーザに表示されてしてしまい、宣伝広告の効果を充分上げることができないといった課題があった。
【０００４】本発明は、このような状況に鑑みてなされたものであり、所定のエリアにおいて、近距離無線通信により受信された特定の地域情報データを選択し、表示することにより、無関係な広告情報の表示を抑制し、広告効果を向上させることができるようにするものである。
【０００５】
【課題を解決するための手段】本発明の情報処理装置は、所定のエリアにおいて、近距離無線通信によりエリアの地域情報データを受信する受信手段と、受信手段により受信された地域情報データの中から、ユーザの操作に基づいて、特定の地域情報データを選択する選択手段と、選択手段により選択された地域情報データを表示する表示制御手段とを備えることを特徴とする。」
　
「【００１６】本発明の情報提供システムは、携帯型の情報処理装置は、エリアに位置するとき、近距離無線通信によりエリアの地域情報データを受信し、受信された地域情報データの中から、ユーザの操作に基づいて、特定の地域情報データを選択し、選択された地域情報データを表示し、情報提供装置は、管轄するエリアの地域情報データの中から、特定の地域情報データを選択し、選択された地域情報データを近距離無線通信により、前記携帯型の情報処理装置に対して発信することを特徴とする。
【００１７】本発明の情報処理装置および方法、第１の記録媒体、並びに第１のプログラムにおいては、近距離無線通信により受信された所定のエリアの地域情報データの中から、ユーザの操作に基づいて、特定の地域情報データが選択され、表示される。
【００１８】本発明の情報提供装置および方法、第２の記録媒体、並びに第２のプログラムにおいては、管轄するエリアの地域情報データの中から、特定の地域情報データが選択され、近距離無線通信により発信される。」
　
「【００２０】
【発明の実施の形態】図１は、本発明に係る情報提供システムの実施の形態の構成例を示す図である。
【００２１】このシステムにおいては、電柱、駅、コンビニあるいはデパートなど、所定のサービスエリア毎に多くのアクセスポイントが設置される。この例では、サービスエリア３Ａ乃至３Ｃのそれぞれに、アクセスポイント２Ａ乃至２Ｃが配置されている。
【００２２】各ユーザが有する携帯型の情報処理装置としてのＰＤＡ（Personal Digital Assistant）１は、各アクセスポイント２Ａ乃至２Ｃが管轄するサービスエリア３Ａ乃至３Ｃ内に位置した場合、そのアクセスポイント２Ａ乃至２Ｃと、Bluetooth（商標），IEEE802.11b，IEEE802.11aなどのニアフィールド通信により、接続される。従って、ＰＤＡ１が接続されるアクセスポイントは、サービスエリア３Ａ乃至３Ｃの移動に伴って変更される。
【００２３】すなわち、アクセスポイント２Ａは、アクセスポイント２Ａのサービスエリア３ＡにＰＤＡ１が入った場合、ＰＤＡ１と例えば、Bluetoothにより接続される。同様に、アクセスポイント２Ｂは、アクセスポイント２Ｂのサービスエリア３ＢにＰＤＡ１が入った場合、ＰＤＡ１とBluetoothにより接続され、アクセスポイント２Ｃは、アクセスポイント２Ｃのサービスエリア３ＣにＰＤＡ１が入った場合、ＰＤＡ１とBluetoothにより接続される。
【００２４】換言すれば、サービスエリア３Ａは、アクセスポイント２ＡがBluetoothにより無線通信が可能な範囲である。同様に、サービスエリア３Ｂは、アクセスポイント２ＢがBluetoothにより無線通信が可能な範囲であり、サービスエリア３Ｃは、アクセスポイント２ＣがBluetoothにより無線通信が可能な範囲である。」
　
「【００２７】図２は、図１に示されたＰＤＡ１の電気的な構成例を示すブロック図である。
【００２８】ＣＰＵ（Central Processing Unit）１１は、発振器１２から供給されるクロック信号に同期して、Flash ROM（Read-only Memory）１３またはEDO DRAM（Extended Data Out Dynamic Random-Access Memory）１４に格納されているオペレーティングシステム、またはアプリケーションプログラムなどの各種のプログラムを実行する。
【００２９】Flash ROM１３は、EEPROM（Electrically Erasable Programmable Read-Only Memory）の一種であるフラッシュメモリで構成され、一般的には、ＣＰＵ１１が使用するプログラムや演算用のパラメータのうちの基本的に固定のデータを格納する。EDO DRAM１４は、ＣＰＵ１１が実行するプログラムや、その実行において適宜変化するパラメータを格納する。
【００３０】メモリースティック（商標）インターフェース（Ｉ／Ｆ）１５は、ＰＤＡ１に装着されているメモリースティック１６からデータを読み出すとともに、ＣＰＵ１１から供給されたデータをメモリースティック１６に書き込む。
【００３１】ＵＳＢ（Universal Sirial Bus）インターフェース（Ｉ／Ｆ）１７は、発振器１８から供給されるクロック信号に同期して、接続されているＵＳＢ機器であるドライブ４１からデータまたはプログラムを入力するとともに、ＣＰＵ１１から供給されたデータをドライブ４１に供給する。ＵＳＢインターフェース１７は、発振器１８から供給されるクロック信号に同期して、接続されている公衆回線網からデータまたはプログラムを入力するとともに、ＣＰＵ１１から供給されたデータを公衆回線網を介して他の機器に供給する。
【００３２】ドライブ４１は、必要に応じて装着される磁気ディスク５１、光ディスク５２、光磁気ディスク５３、または半導体メモリ５４に記録されているデータまたはプログラムを読み出して、そのデータまたはプログラムを、ＵＳＢインターフェース１７を介して、ＣＰＵ１１またはEDO DRAM１４に供給する。また、ドライブ４１は、装着されている磁気ディスク５１、光ディスク５２、光磁気ディスク５３、または半導体メモリ５４にデータまたはプログラムを記録させる。
【００３３】Flash ROM１３，EDO DRAM１４、メモリースティックインターフェース１５、およびＵＳＢインターフェース１７は、アドレスバスおよびデータバスを介して、ＣＰＵ１１に接続されている。
【００３４】表示部１９は、ＬＣＤ(Liquid Crystal Display)１９ａとタッチパッド１９ｂで構成されており、そのＬＣＤ１９ａは、ＬＣＤバスを介して、ＣＰＵ１１からデータを受信し、受信したデータに対応する画像または文字などを表示する。タッチパッド制御部２０は、表示部１９において、ＬＣＤ１９ａの上側に設けられたタッチパッド１９ｂが操作されたとき、操作に対応したデータ（例えば、タッチされた座標）をタッチパッド１９ｂから受信し、受信したデータに対応する信号をシリアルバスを介してＣＰＵ１１に供給する。」
　
「【００３７】無線通信部２４は、アクセスポイント２のサービスエリア３に入ったとき、アンテナ２５を介して、Bluetoothの無線通信規格に基づいて、アクセスポイント２と自動的に通信する。」
　
「【００６２】次に、図８のフローチャートに基づいて、ＰＤＡ１の受信処理について説明する。
【００６３】ＰＤＡ１が、アクセスポイント２のサービスエリア３に入ると、ステップＳ３１において、無線通信部２４は、アンテナ２５を介して、アクセスポイント２からBluetoothにより、広告情報を受信する。
【００６４】図４に基づいて、説明したように、情報の種類を識別するような識別信号が、アクセスポイント２から発信される情報データのヘッダに書き込まれている。
【００６５】そこで、ＣＰＵ１１は、ステップＳ３２において、受け取った広告情報のヘッダに書き込まれている識別信号が、Flash ROM１３に登録されている、ユーザが受信を希望した（図４のステップＳ４の処理で登録した）情報の種類に対応する信号であるか否か判断をし、広告情報が選択された種類の情報である場合、ステップＳ３３において、その広告情報を表示部１９のＬＣＤ１９ａに表示させる。
【００６６】なお、表示するためのアプリケーションなどは、特別に必要なく、ＣＰＵ１１は、待ち受け画面や、壁紙などに広告情報を表示させる。
【００６７】ステップＳ３２において、受信された広告情報が選択された種類の情報ではないと判定された場合、ステップＳ３３乃至Ｓ３５の処理はスキップされる。従って、ＬＣＤ１９ａには何も表示されない。
【００６８】その広告情報が表示されている（アクセスポイント２よりその広告情報が発信されている）間、ステップＳ３４において、ＣＰＵ１１は、表示されている広告情報を保存するか否かをユーザの操作に基づいて判断する。ユーザによりジョグダイヤル２３が操作され、広告情報の保存が指令された場合、ＣＰＵ１１は、ステップＳ３５において、表示部１９のＬＣＤ１９ａに表示されている広告情報の画面画像をFlash ROM１３などに保存する。
【００６９】ステップＳ３４においてユーザにより広告情報の保存が指令されなかったと判定された場合、ステップＳ３５において保存処理を完了した後、またはステップＳ３２で、広告情報は、選択された種類の情報ではないと判定された場合、ＣＰＵ１１は、ステップＳ３６に進み、サービスエリア３から出たか否かを判断する。
【００７０】ステップＳ３６において、サービスエリア３から出ていないと判定された場合、処理は、ステップＳ３１に戻り、それ以降の処理が繰り返される。サービスエリア３から出たと判定された場合、処理は終了される。
【００７１】以上のように、ＰＤＡ１の所有者は、そのアクセスポイント２の近くの地域情報のみを受信することができるだけでなく、その中でも、必要な情報だけを選んで表示することもでき、さらに、画面表示中に保存し、再度読み出して見ることも可能である。
【００７２】地域の広告情報は、電子チラシ、およびビラはもちろんのこと、史跡などの案内、ショップなどにおける限定品販売における残り数のリアルタイム表示、レストランにおけるメニューや価格表の表示、または図書館の空席情報などのように、実際に中に入らずに知りたい情報とすることができる。また、駅、バス停などにおける電車、バスの時刻表取得サービス、会場近くの会場外に対するスポーツなどの試合経過の通知、映画館における非常口の表示、または会議室の予約状況の通知のように、リアルタイムで通知したい情報とすることも可能である。さらには、スタンプラリーなどのような、特定の場所へ行ったことの証明書としての利用もできる。」
　
　そして、上記記載事項を、引用例の関連図面と技術常識に照らせば、次のことがいえる。
　
（１）引用例の【請求項１２】等の記載からみて、引用例に記載された情報提供システムは、第１のエリア内に配置され、第１のエリアの地域情報データを発信する第１の情報提供装置と、第２のエリア内に配置され、第２のエリアの地域情報データを発信する第２の情報提供装置とを有するものである。
　
（２）引用例の【請求項１２】、段落【００１６】、【００１７】、【００２０】〜【００２４】（特に、段落【００２２】の「ＰＤＡ１が接続されるアクセスポイントは、サービスエリア３Ａ乃至３Ｃの移動に伴って変更される」の記載）等の記載及び図１からみて、前記情報提供システムは、「第１及び第２のエリア内を移動可能であり、第１及び第２の情報提供装置から発信された第１及び第２のエリアの地域情報データを受信して表示する情報処理装置」を有し、前記「情報処理装置」は、「第１のエリア内に位置するときには、第１のエリアの地域情報データを受信して表示しておき、第１のエリアから第２のエリアに移動した場合には、第２のエリアの地域情報データを受信して表示する」ものであるといえる。
　また、一般に、ＰＤＡのような情報処理装置は、受信した情報を装置内に一旦記憶した上で表示部に表示するように構成されるのが普通であるし、引用例の情報処理装置がそのような普通のものと異なる構成を有するものであると解すべき理由はないから、引用例の前記「情報処理装置」は、第１及び第２のエリアの地域情報データを受信した際に、その表示に先立って、当該地域情報データを当該情報処理装置内の何れかの部分に記憶するように構成されているものと認められる。
　
（３）引用例の【請求項１２】、段落【００２１】の「このシステムにおいては、電柱、駅、コンビニあるいはデパートなど、所定のサービスエリア毎に多くのアクセスポイントが設置される。この例では、サービスエリア３Ａ乃至３Ｃのそれぞれに、アクセスポイント２Ａ乃至２Ｃが配置されている。」等の記載及び図１からみて、前記「第１及び第２の情報提供装置」はそれぞれ店舗にも配置され得るものである。
　また、引用例の段落【００７２】の「地域の広告情報は、電子チラシ、およびビラはもちろんのこと、・・・、ショップなどにおける限定品販売における残り数のリアルタイム表示、レストランにおけるメニューや価格表の表示、・・・などのように、実際に中に入らずに知りたい情報とすることができる。」という記載からも明らかなように、前記「第１及び第２のエリアの地域情報データ」は、「店舗情報」といい得る情報の場合もあり得るものである。
　
（４）上記（２）で言及した「情報処理装置」が、同（２）で言及した「表示」及び「記憶」の各機能ををそれぞれつかさどる、「『表示部』と呼び得る部分」と「『記憶部』と呼び得る部分」、および装置全体を制御する「『制御部』と呼び得る部分」を有していることは、技術常識からして明らかである。
　
（５）引用例の【請求項１２】、段落【００１６】、【００１７】、【００２０】〜【００２４】、【００３７】、【００６３】〜【００６５】の記載及び図１、図８等からみて、上記（４）で言及した「制御部」は、「情報処理装置が前記第１のエリアから前記第２のエリアに移動したと判断した場合に、前記表示部に表示されていた第１のエリアの地域情報データを第２のエリアの地域情報データに切り替えて表示する」ものといえる。
　
　以上を総合すると、引用例には、次の発明（以下、「引用例記載発明」と呼ぶ。）が記載されているといえる。
　
「第１のエリア内に配置され、第１のエリアの地域情報データを発信する第１の情報提供装置と、
　第２のエリア内に配置され、第２のエリアの地域情報データを発信する第２の情報提供装置と、
　第１及び第２のエリア内を移動可能であり、第１及び第２の情報提供装置から発信された第１及び第２のエリアの地域情報データを受信して記憶・表示する情報処理装置を有し、
　情報処理装置が第１のエリア内に位置するときには、情報処理装置は第１のエリアの地域情報データを受信して記憶・表示しておき、情報処理装置が第１のエリアから第２のエリアに移動した場合には、情報処理装置は第２のエリアの地域情報データを受信して記憶・表示し、
　前記第１及び第２の情報提供装置はそれぞれ店舗に配置されており、前記第１及び第２のエリアの地域情報は、店舗情報であり、
　前記情報処理装置は、前記第１及び第２のエリアの地域情報データを記憶する記憶部と、この記憶した第１及び第２のエリアの地域情報データを表示する表示部と、前記情報処理装置全体を制御する制御部とを有し、
　前記制御部は、前記情報処理装置が前記第１のエリアから前記第２のエリアに移動したと判断した場合に、前記表示部に表示されていた第１のエリアの地域情報データを第２のエリアの地域情報データに切り替えて表示する情報提供システム。」
　
　
第４　対比
　本願発明と引用例記載発明とを対比すると、引用例記載発明の「第１のエリア」、「第１のエリアの地域情報データ」、「第２のエリア」、「第２のエリアの地域情報データ」、「発信する」、「情報処理装置」、「位置する」は、それぞれ、本願発明の「第１の通信カバーエリア」、「第１の情報」、「第２の通信カバーエリア」、「第２の情報」、「送信する」、「情報受信端末」、「存在する」に相当するものといえる。
　したがって、本願発明と引用例記載発明の間には、以下の一致点、相違点があるといえる。
　
（一致点）
「第１の通信カバーエリア内に配置され、第１の情報を送信する第１の情報提供装置と、
　第２の通信カバーエリア内に配置され、第２の情報を送信する第２の情報提供装置と、
　第１及び第２の通信カバーエリア内を移動可能であり、第１及び第２の情報提供装置から送信された第１及び第２の情報を受信して記憶・表示する情報受信端末を有し、
　情報受信端末が第１の通信カバーエリア内に存在するときには、情報受信端末は第１の情報を受信して記憶・表示しておき、情報受信端末が第１の通信カバーエリアから第２の通信カバーエリアに移動した場合には、情報受信端末は第２の情報を受信して記憶・表示し、
　前記第１及び第２の情報提供装置はそれぞれ店舗に配置されており、前記第１及び第２の情報は店舗情報であり、
　前記情報受信端末は、前記第１及び第２の情報を記憶する記憶部と、この記憶した第１及び第２の情報を表示する表示部と、全体を制御する制御部とを有し、
　前記制御部は、前記情報受信端末が前記第１の通信カバーエリアから前記第２の通信カバーエリアに移動したと判断した場合に、前記表示部に表示されていた第１の情報を第２の情報に切り替えて表示する情報提供システム。」である点。
　
（相違点１）
　本願発明においては、「第１及び第２の情報」である「店舗情報」が、「店舗でそれぞれ作成された」情報であるのに対し、引用例記載発明においては、「店舗でそれぞれ作成された」情報であるとは限らない点。
　
（相違点２）
　本願発明の「第１及び第２の情報提供装置」は、「作成された店舗情報が保存されたときに、第１及び第２の情報をそれぞれ送信する」ように動作するものとされているのに対し、引用例記載発明の「第１及び第２の情報提供装置」は、そのように動作するものとはされていない点。
　
（相違点３）
　本願発明の「制御部」は、「前記第１の情報から前記第２の情報への切り替えは、前記第２の通信カバーエリア内で受信した第２の情報が前記記憶部に記憶された時点で行われる」ように動作するものとされているのに対し、引用例記載発明の「制御部」は、そのように動作するものとはされていない点。
　
　
第５　判断
（１）相違点１について
　一般に、情報提供システムにおいて提供すべき情報をどこで作成するかは、提供すべき情報の種類、性質、情報処理システムや人的資源の配置状況、等を考慮して、当業者が適宜決定すべき事項であり、引用例記載発明の情報提供システムにおいて提供すべき情報についても、その事情は何ら変わるところはない。
　また、引用例記載発明の情報提供システムにおいて提供すべき第１及び第２の情報は、店舗情報であり、これを各店舗において作成できない理由もない。
　さらに、引用例記載発明と同様に店舗情報等を提供するシステムにおいて、店舗情報の作成を各店舗において行うようにすることは、原査定の備考欄に「参考文献１」として例示された特開２００２−１８３００７号公報の段落【００２３】の「情報発信装置の所有者自身がコンピュータ等を用いて作成した広告情報等のデータを、情報発信装置１０データ記憶部１１に送って記憶させることにより、発信するコンテンツを簡単に変更することができる。」という記載等から示唆されることでもある。
　以上によれば、引用例記載発明において、「第１及び第２の情報」である「店舗情報」を、「店舗でそれぞれ作成された」情報とすることは当業者が容易に推考し得たことというべきである。
　
（２）相違点２について
　引用例の段落【０００３】、【０００４】等の記載から把握される引用例記載発明が解決しようとした課題や、引用例の【請求項１２】に規定された発明特定事項等からみて、引用例記載発明において、情報提供装置が、店舗情報を送信するタイミングをどのように構成するかは、ユーザの利便性等を考慮して当事者が適宜決定する設計事項である。
　また、引用例の段落【００７２】に「ショップなどにおける限定品販売における残り数のリアルタイム表示」と記載されていることからもうかがい知ることができるように、移動可能な情報受信端末に対し、情報提供装置に保存された店舗情報を即時に送信できることが便利であることは当業者に自明のことである。
　一方、引用例記載発明に、情報提供装置に保存された店舗情報を即時に送信できるようにすることを妨げる事情はない。
　以上によれば、引用例記載発明の「前記第１及び第２の情報提供装置」を、「作成された店舗情報が保存されたときに、第１及び第２の情報をそれぞれ送信する」ように動作するものとすることは、当業者が適宜なし得たことである。
　
（３）相違点３について
　引用例の段落【０００３】、【０００４】等の記載から把握される引用例記載発明が解決しようとした課題や、引用例の段落【００６３】〜【００６５】に示されるＰＤＡ（引用例記載発明でいう情報処理装置）の具体的動作フロー等によれば、引用例記載発明において、情報受信端末が、受信した情報を切り替えるタイミングをどのように構成するかも、ユーザの利便性等を考慮して当事者が適宜決定する設計事項である。
　また、引用例の段落【００７２】に「ショップなどにおける限定品販売における残り数のリアルタイム表示」と記載されていることからもうかがい知ることができるように、移動可能な情報受信端末が情報を受信後即時的に切り替えて表示することが便利であることは当業者に自明のことである。
　一方、引用例記載発明に、移動可能な情報受信端末が情報を受信後即時的に切り替えて表示するようにすることを妨げる事情はない。
　以上によれば、引用例記載発明の「制御部」を「前記第１の情報から前記第２の情報への切り替えは、前記第２の通信カバーエリア内で受信した第２の情報が前記記憶部に記憶された時点で行われる」ように動作するものとすることも、当業者が適宜なし得たことである。
　
（４）本願発明の効果について
　本願発明の構成によってもたらされる効果は、引用例に記載された事項及び周知の事項から当業者ならば容易に予測することができる程度のものであって、格別のものとはいえない。
　
（５）まとめ
　以上によれば、本願発明は、引用例記載発明及び周知の事項に基いて当業者が容易に発明をすることができたものである。
　
　
第６　むすび
　以上のとおり、本願発明は、引用例記載発明及び周知の事項に基づいて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。